(57)【要約】      （修正有）【課題】医療用ラインに接続する際に、中に含まれる液体の汚染を回避するシリンジを提供する。【解決手段】シリンジ１は、シリンダ２、および、ピストン４を含み、シリンダ２の出口端６は、ルアーコネクタ、または、オスルアーロックタイプのバルブコネクタ７と一体化している。【選択図】図１
0003167452.tif 000002
【実用新案登録請求の範囲】
【請求項１】
シリンダ（２）、および、該シリンダ（２）の内側でシールしつつ摺動するピストン（４）を含み、前記シリンダ（２）の出口端を通して液体を注入するシリンジであって、
前記シリンダ（２）の出口端（６）がルアーコネクタ、または、オスルアーロックタイプのバルブコネクタ（７）と一体化していることを特徴とするシリンジ。
【請求項２】
前記バルブコネクタ（７）は、欧州特許出願ＥＰ−Ａ−１−７４７７９６の中で説明され、図示された一般的なタイプのものであることを特徴とする請求項１に記載のシリンジ。
【請求項３】
前記バルブコネクタ（７）は、取り外し可能な保護キャップ（１９）を備えていることを特徴とする請求項１または２に記載のシリンジ。
【考案の詳細な説明】
【技術分野】
【０００１】
本考案は、シリンダ、および、シリンダの内側でシールしつつ摺動するピストンを含み、シリンダの出口端を通して液体を注入する医療用シリンジに関する。
【背景技術】
【０００２】
このように構成されるシリンジは、通常、点滴ラインおよび同様のものの非経口的液体の中に薬物を取り入れるために使用されている。シリンジシリンダの出口端は、一般に、コネクタ、主としてルアーコネクタに接続されるように設計されている。シリンジシリンダの中に予め吸引された医療用の液体は、その後、コネクタを通して点滴ラインに注入される。
【０００３】
このようにしてなされる注入では、注入前に、シリンジの中に含まれる液体の汚染を回避しておく必要がある。
【先行技術文献】
【特許文献】
【０００４】
【特許文献１】欧州特許出願公開第０７４７７９６号明細書
【考案の概要】
【０００５】
本考案の目的は、シリンジを医療用ラインに接続する際、汚染に対する安全性およびオペレータに対する快適性の両方に関して、上述した要求に対する効果的かつ実用的な解決策を提供することである。
【０００６】
本考案によれば、この目的は、上述したシリンジシリンダの出口端が、ルアーコネクタ、または、オスルアーロックタイプのバルブコネクタと一体化しているという事実により達成される。
【０００７】
一体化したバルブコネクタは、同じ出願人の欧州特許出願ＥＰ−Ａ−１−７４７７９６の中で説明され、図示されたタイプとすることが有利である。
【０００８】
これから、添付図面を参照して本発明を詳細に説明する。添付図面は、限定されない例を概略的に示すためだけに提供される。
【図面の簡単な説明】
【０００９】
【図１】本考案にかかる一体化したバルブコネクタを有するシリンジを示す縦断面図。
【考案を実施するための形態】
【００１０】
図１において、本考案にかかる針付き、または、針無しのシリンジは、その全体が１により示されている。シリンジ１は、開口端３を有する細長いシリンダ２からなり、その内側には、シリンダ２の内壁とシール接触して摺動するように、エンドガスケット５が設けられた軸方向に摺動するピストン４が挿入されている。
【００１１】
符号６により示されたシリンダ２の他端は、シリンダ２と一体化したバルブコネクタ７と連通している。
【００１２】
ルアー、または、オスルアーロックタイプのバルブコネクタ７は、前述した欧州特許出願ＥＰ−Ａ−１−７４７７９６の中で説明し、図示したものと概ね一致している。詳細には、バルブコネクタ７は、一側でシリンダ２の端部６に恒久的、かつ、堅固に固定され、他側で内ネジ９が形成された中空体８からなっている。中空体８の内部には、内側管状体１０が軸方向に摺動している。内側管状体１０は、ほぼ中央部分に、環状フランジ１１が形成され、この環状フランジ１１は、回転しない形で中空体８の内壁と結合し、中空体８と一体的に形成された内側の環状ストップカラー（annular stop collar）１２に当接するように配置されている。この位置は、通常、軸方向に弾性的にへこむ壁部１４が形成された弾性材料１３からなる中空体の作用によって維持されている。その中空体は、内側管状要素１０の環状フランジ１１に対して押し付けられるように、中空体８とシリンダ２の端部６の間に配置されている。弾性材料体１３は、シリンダ２の端部６の段状の環状突起１５に対して前端がシール接触して配置されている。その環状突起１５は、キャビティ２０の範囲を定めている。
【００１３】
環状フランジ１１とシリンダ２の間に形成された内側管状要素１０の部分は、弾性材料体１３の内側でシールをしつつ摺動する。そして、その開放された端部は、弾性材料体１３のプレカッティング１６と向かい合っている。シリンダ２のプレカッティング１６は、弾性体１３とコネクタ７の中空体８との間に適切な量のラジアル方向の負荷を予め加えておくことによって通常密閉されている。
【００１４】
弾性材料体１３は、３つの機能を備えている。第１の機能は、上述したように、図に表した後退位置の内側管状要素１０に押圧することである。その後退位置では、環状フランジ１１は内側のカラー１２に対して押し付けられており、バルブコネクタ７は、密閉状態になっている。
【００１５】
第２の機能は、内側管状要素１０と中空体８の間で、シールをしつつ摺動することである。第３の機能は、この後で明らかにする方法により、コネクタ７の開放状態でプレカッティング１６を通る流路を規定することである。
【００１６】
管状要素１０は、弾性体１３に対して反対側で、円錐形の外面１７部分が中空体８の内ネジ９を通ってオスルアーロックフィッティングを画定するように延びている。オスルアーロックフィッティングは、医療用ラインに追加されたメスルアーロックフィッティングと結合できる。円錐形の外面１７部分は、狭い内部通路１８で終了している。
【００１７】
保護キャップ１９は、中空体８の端部に取り外し可能に係合されている。
【００１８】
これまでに明らかにしたように、図１は、シリンジ１のシリンダ２と一体化したコネクタ７の閉塞状態を表している。その閉塞状態では、シリンダ２の端部６から内側管状要素１０に向かう流路は妨げられている。すなわち、その流路は、プレカッティング１６が密閉されたままの弾性体１３によって、シールされて閉塞されている。メスルアーロックフィッティングが中空体８の内ネジ９の中にねじ込まれてコネクタ７と係合すると、内側管状要素１０は、シリンダ２の軸方向に平行移動し、プレカッティング１６を開放するまで弾性体１３に対して前方に移動する。そのような方法で、シリンダ２とメスルアーロックフィッティングの間の流路は、内側管状要素１０と相対的に狭い通路１８を通して開放される。このステップにおいて、弾性体１３の弾性的にへこむ部分１４は、バネのように圧縮される。
【００１９】
ピストン４を操作してシリンダ２中の液体の注入を完了した後、メスルアーロックフィッティングが回して取り外されると、内側管状要素１０は、最初の状態の弾性体１３の弾性的にへこむ部分１４のスプリングバック効果によって、最初の後退位置に戻る。それゆえに、内側管状要素１０の環状フランジ１１は、カラー１２に接触する位置に戻り、プレカッティング１６は再び密閉される。したがって、シリンジ１は再びシールされる。
【００２０】
明らかに、構造の細部および実施形態は、請求の範囲によって規定される本考案の範囲から逸脱することなく、上で提供した説明および図に対して広く変更してもよい。
【００２１】
したがって、例えば、シリンジ１と一体化されたバルブコネクタ７は、上で説明したものに対して、形状が異なっていてもよい。すなわち、バルブコネクタ７は、同様の機能的な効果を得るのに適切である限り、欧州特許出願ＥＰ−Ａ−１−７４７７９６にかかるものに対して形状が異なっていてもよい。
【符号の説明】
【００２２】
１  シリンジ
２  シリンダ
３  開口端
４  ピストン
５  エンドガスケット
６  端部
７  バルブコネクタ
８  中空体
９  内ネジ
１０  内側管状体(内側管状要素)
１１  環状フランジ
１２  環状ストップカラー
１３  弾性材料(弾性材料体)
１４  壁部
１５  環状突起
１６  プレカッティング
１７  外面
１８  通路（内部通路）
１９  保護キャップ
２０  キャビティ
【図１】
0003167452.tif 000003
【手続補正書】
【提出日】平成22年12月28日(2010.12.28)
【手続補正１】
【補正対象書類名】実用新案登録請求の範囲
【補正対象項目名】全文
【補正方法】変更
【補正の内容】
【実用新案登録請求の範囲】
【請求項１】
シリンダ（２）、および、該シリンダ（２）の内側でシールしつつ摺動するピストン（４）を含み、前記シリンダ（２）の出口端を通して液体を注入するシリンジであって、
前記シリンダ（２）の出口端（６）がルアーコネクタ、または、オスルアーロックタイプのバルブコネクタ（７）と一体化していることを特徴とするシリンジ。
【請求項２】
前記バルブコネクタ（７）は、取り外し可能な保護キャップ（１９）を備えていることを特徴とする請求項１に記載のシリンジ。